(57)【要約】【課題】紫外線光源から照射された紫外線の全て又は大部分がディスポーザ蓋に当るよう構成されたディスポーザ付き流し台を提供する。【解決手段】流し台１の上面にシンク２が設けられ、このシンク２の排水口にディスポーザ３が取り付けられている。ディスポーザ３の蓋４には酸化チタン等の光触媒のコーティングが施されている。ディスポーザ３を使用しないときには、蓋４を投入口３から外し、収納部６に収納し、カバー７を被せる。そうすると、ＵＶＬＥＤ８が点灯し、蓋４に紫外線が照射される。これにより、蓋４が殺菌されると共に、光触媒作用により活性酸素が発生し、付着有機物が酸化分解される。【選択図】図１
2006283531.tif 000002
【特許請求の範囲】
【請求項１】
着脱可能な蓋を有するディスポーザが設けられた流し台において、
該ディスポーザから取り外した蓋を収納し、該蓋に向けて紫外線を照射する紫外線光源を有する収納部を備えたことを特徴とするディスポーザ付き流し台。
【請求項２】
請求項１において、前記蓋に光触媒が設けられていることを特徴とするディスポーザ付き流し台。
【請求項３】
請求項１又は２において、前記収納部は、前記ディスポーザのコントローラと一体に設けられていることを特徴とするディスポーザ付き流し台。
【請求項４】
請求項１ないし３のいずれか１項において、前記収納部に、収納した蓋を隠蔽するためのカバーが開閉可能に設けられており、
該カバーが閉じているときに前記紫外線光源を点灯させ、カバーが開いているときに紫外線光源を消灯させる紫外線光源制御手段が設けられていることを特徴とするディスポーザ付き流し台。
【発明の詳細な説明】
【技術分野】
【０００１】
本発明は、流し台に係り、特に調理屑などの生ゴミを破砕するディスポーザを備えたディスポーザ付き流し台に関する。さらに詳しくは、本発明は、このディスポーザの蓋の浄化手段を備えたディスポーザ付き流し台に関する。
【背景技術】
【０００２】
流し台は、水で濡れることが多く、しかも調理屑や食用油などの有機物と接することから、ヌメリ等の汚れが付き易い。このヌメリ等の発生防止のためにディスポーザに装着されたディスポーザ蓋に向けて紫外線を照射するように紫外線ＬＥＤを設けることが特開２００１−１１２８５５号の図１に記載されている。
【特許文献１】特開２００１−１１２８５５号
【発明の開示】
【発明が解決しようとする課題】
【０００３】
上記特開２００１−１１２８５５号の流し台にあっては、ディスポーザに装着された蓋に向って紫外線を照射するため、紫外線が流し台のシンク底面に当って反射し、蓋以外に紫外線が広がる恐れがある。
【０００４】
本発明は、紫外線光源から照射された紫外線の全て又は大部分がディスポーザ蓋に当るよう構成されたディスポーザ付き流し台を提供することを目的とする。
【課題を解決するための手段】
【０００５】
請求項１のディスポーザ付き流し台は、着脱可能な蓋を有するディスポーザが設けられた流し台において、該ディスポーザから取り外した蓋を収納し、該蓋に向けて紫外線を照射する紫外線光源を有する収納部を備えたことを特徴とするものである。
【０００６】
請求項２のディスポーザ付き流し台は、請求項１において、前記蓋に光触媒が設けられていることを特徴とするものである。
【０００７】
請求項３のディスポーザ付き流し台は、請求項１又は２において、前記収納部は、前記ディスポーザのコントローラと一体に設けられていることを特徴とするものである。
【０００８】
請求項４のディスポーザ付き流し台は、請求項１ないし３のいずれか１項において、前記収納部に、収納した蓋を隠蔽するためのカバーが開閉可能に設けられており、該カバーが閉じているときに前記紫外線光源を点灯させ、カバーが開いているときに紫外線光源を消灯させる紫外線光源制御手段が設けられていることを特徴とするものである。
【発明の効果】
【０００９】
本発明のディスポーザ付き流し台にあっては、ディスポーザから取り外した蓋を収納部に収納して紫外線を当てるようにしているため、紫外線が収納部外に広がりにくく、紫外線の全て又は大部分が蓋に当る。この紫外線が当ることにより、殺菌作用が奏され、ヌメリ発生が防止ないし抑制される。なお、ディスポーザから外した蓋を収納部に収納することにより、シンク内がすっきりとしたものとなる。
【００１０】
請求項２の通り、この蓋に光触媒を設けておくと、光触媒作用により、付着有機物の分解が行われ、蓋の浄化が促進される。
【００１１】
請求項３の通り、この収納部をディスポーザのコントローラと一体に設けておくと、収納部が邪魔になりにくく、流し台が使い易くなると共に、流し台の美観も向上する。また、コントローラの電源と収納部の紫外線光源の電源とを共用することができ、コストダウンを図ることができる。
【００１２】
請求項４の通り、この収納部に、収納した蓋を隠蔽するため、開閉式のカバーを設けておくと、蓋が見えないから、流し台の美観が向上する。また、このカバーが閉じているときだけ紫外線光源を点灯させることにより、紫外線の漏洩を確実に防止することができる。
【発明を実施するための最良の形態】
【００１３】
以下、図面を参照して実施の形態について説明する。図１は実施の形態に係るディスポーザ付き流し台の斜視図である。
【００１４】
流し台１の上面にシンク２が設けられ、このシンク２の排水口にディスポーザ３が取り付けられている。このディスポーザ３は、上部の投入口から野菜屑、肉、魚屑などの調理屑が投入され、内部に設けられた破砕用の刃（図示略）を回転させて破砕する周知のものである。
【００１５】
このディスポーザ３の上部の該投入口に蓋４が着脱可能に装着されている。この蓋４には酸化チタン等の光触媒のコーティングが施されている。
【００１６】
シンク２の後部にバックガード５が左右に延設されている。このバックガード５の前面側に蓋４の収納部６が設置されているが、収納部６の位置は図示以外であってもよい。
【００１７】
この収納部６は、上方が開放した上開容器状であり、この上面の開口を閉鎖するためのカバー７がヒンジ（図示略）を介して取り付けられている。収納部６の底面には水抜き孔（図示略）が設けられている。
【００１８】
この収納部６の内面と、カバー７の下向き面とには、それぞれ紫外線照射用のＵＶＬＥＤ８が設けられている。このＵＶＬＥＤ８は、カバー７を閉めると点灯し、開けると消灯するように通電される。
【００１９】
この実施の形態では、収納部６はディスポーザ３のコントローラ９と一体に設けられている。このコントローラ９にはディスポーザ３のＯＮ、ＯＦＦ用のスイッチ１０が設けられている。
【００２０】
ディスポーザ３によって調理屑を細かく切断するには、蓋４を開け、調理屑をディスポーザ３内に投入し、蓋４を装着し、スイッチ１０を操作する。
【００２１】
ディスポーザ３を使用しないときには、蓋４を投入口３から外し、収納部６に収納し、カバー７を倒伏回動させて被せる。そうすると、ＵＶＬＥＤ８が点灯し、蓋４に紫外線が照射される。これにより、蓋４が殺菌されると共に、光触媒作用により活性酸素が発生し、付着有機物が酸化分解される。この結果、蓋４にヌメリ等の汚れが付着することが防止される。また、ディスポーザ３から取り外した蓋４が隠蔽されるので、流し台１の美観も良好である。
【００２２】
なお、カバー７を開けると、ＵＶＬＥＤ８が消灯する。
【００２３】
この実施の形態では、収納部６にカバー７を設けているので、ＵＶＬＥＤ８からの紫外線が収納部６外へ漏洩することが防止される。従って、流し台１近傍に人が居ても、人に紫外線が当ることがない。
【００２４】
この実施の形態では、コントローラ９と収納部６とを一体化しており、コントローラ９の電源回路や各種回路とＵＶＬＥＤ８の点灯回路とを共通化することができ、部品の共通化によるコストダウンや、コンパクト化を図ることができる。
【００２５】
上記実施の形態ではＵＶＬＥＤを用いているが、紫外線ランプなど他の紫外線光源を用いてもよい。
【図面の簡単な説明】
【００２６】
【図１】実施の形態に係るディスポーザ付き流し台の斜視図である。
【符号の説明】
【００２７】
１  流し台
２  シンク
３  ディスポーザ
４  蓋
５  バックガード
６  収納部
７  カバー
８  ＵＶＬＥＤ
９  コントローラ
【図１】
2006283531.tif 000003